(57)【要約】      （修正有）【課題】背負い、又は手提げすることができると共に、ベルト長さを調整せずとも手提げ時の持ち手部の長さを適当にできる携帯バッグを提供する。【解決手段】収納部１０２が底部１０８、背側部１１２、反背側部１１４、及び左右のマチ部１１６によって形成され、背側部、反背側部の上部に穿孔された貫通孔１２４に、ベルト１０４を引き通し、ベルトの中間部１０４Ｍを反背側部の外方に位置させると共に、当該ベルトの端部を背側部の下端部に取り付けることにより、左右の背負いベルトを構成する。背負いバッグとして用いる場合、当該背負いベルトを左右の肩に掛けることにより、背負い携帯バッグとして用いることができる。背側部の左右の背負いベルトに背側手持ち手部を取付け、反背側部の外方に位置する中間部と共に片手で持つことにより、手持ち携帯バッグ１００として利用できる。【選択図】図１
2020011060.tif 000002
【特許請求の範囲】
【請求項１】
少なくとも、収納部（102）、背負いベルト（104）、及び背側持ち手部（106）を含み、少なくとも手に提げるか或いは背負うかの二通りの方法で携帯可能なバッグであって、
前記収納部(102)は、
少なくとも、大凡長方形の底部(108)と、
前記底部(108)の一長辺から立設された略矩形の背側部(112)と、
前記底部(108)の他の長辺から立設された略矩形の反背側部(114)と、
前記背側部(112)と前記反背側部(114)の端部を接続する左マチ部(116)、右マチ部(118)によって構成され、
前記背負いベルト(104)は、中間が前記背側部(112)と反背側部(114)の上部に設けられた左右一対の貫通孔(122L、122R、124L、124R)に引き通され、一端部が前記背側部(112)の一下部端部に取り付けられ、他端部が前記背側部(112)の他下部端部に取り付けられることにより左背負いベルト部(104L)、右背負いベルト部(104R)が構成され、
前記背側持ち手部(106)の一端部は、前記左背負いベルト部(104L)の背側部(112)側に一端部が取り付けられ、前記背側持ち手部(106)の他端部は前記右背負いベルト部(104R)に取り付けられる
ことを特徴とする携帯バッグ。
【請求項２】
少なくとも、収納部（102）、背負いベルト（104）、及び背側持ち手部（106）を含み、少なくとも手に提げるか或いは背負うかの二通りの方法で携帯可能なバッグであって、
前記収納部(102)は、
少なくとも、大凡長方形の底部(108)と、
前記底部(108)の一長辺から立設された略矩形の背側部(112)と、
前記底部(108)の他の長辺から立設された略矩形の反背側部(114)と、
前記背側部(112)と前記反背側部(114)の端部を接続する左マチ部(116)、右マチ部(118)によって構成され、
前記背負いベルト(104)は、中間が前記背側部(112)が延長された被せ部(112E)に設けられた左右一対の貫通孔(184L、184R)に引き通され、一端部が前記背側部(112)の一下部端部に取り付けられ、他端部が前記背側部(112)の他下部端部に取り付けられることにより左背負いベルト部(104L)、右背負いベルト部(104R)が構成され、
前記背側持ち手部(106)の一端部は、前記左背負いベルト部(104L)の背側部(112)側に一端部が取り付けられ、前記背側持ち手部(106)の他端部は前記右背負いベルト部(104R)に取り付けられる
ことを特徴とする携帯バッグ。
【請求項３】
少なくとも、収納部（102）、背負いベルト（104）、及び背側持ち手部（106）を含み、少なくとも手に提げるか或いは背負うかの二通りの方法で携帯可能なバッグであって、
前記収納部(102)は、
少なくとも、大凡長方形の底部(108)と、
前記底部(108)の一長辺から立設された略矩形の背側部(112)と、
前記底部(108)の他の長辺から立設された略矩形の反背側部(114)と、
前記背側部(112)と前記反背側部(114)の端部を接続する左マチ部(116)、右マチ部(118)によって構成され、
前記背負いベルト(104)は、左背負いベルト部(104L)と右背負いベルト部(104R)により構成され、
前記左背負いベルト部(104L)は、前記背側部(112)の左寄り部において、一端部が前記背側部(112)の下端部に取付けられ、他端部が前記背側部(112)の前記一端部の上方に取り付けられ、
前記右背負いベルト部(104R)は、前記背側部(112)の右寄り部において、一端部が前記背側部(112)の下端部に取付けられ、他端部が前記背側部(112)の前記一端部の上方に取り付けられ、
前記背側持ち手部(106)の一端部は、前記左背負いベルト部(104L)の背側部(112)側に一端部が取り付けられ、前記背側持ち手部(106)の他端部は前記右背負いベルト部(104R)に取り付けられ、
さらに、前記反背側部(114)に、当該反背側部(114)と大凡並列に、ループ形状の反背側持ち手部(104H)を設けた
ことを特徴とする携帯バッグ。
【請求項４】
前記背側持ち手部(106)は、前記左背負いベルト部(104L)、前記右背負いベルト部(104R)に、それぞれ摺動可能に取り付けられた
ことを特徴とする請求項１〜３の何れかに記載の携帯バッグ。
【請求項５】
前記背側持ち手部(106)は、前記左背負いベルト部(104L)、前記右背負いベルト部(104R)にそれぞれ着脱可能に設けられた
ことを特徴とする請求項１〜３の何れかに記載の携帯バッグ。
【請求項６】
前記背負いベルト(104)は長さ調整装置(140)を有する
ことを特徴とする請求項１〜５の何れかに記載した携帯バッグ。
【請求項７】
前記背側持ち手部(106)の一端部が取り付けられた部分を挟んだ前記左背負いベルト部(104L)を束ねる左結束帯(192L)と、
前記背側持ち手部(106)の他端部が取り付けられた部分を挟んだ前記右背負いベルト部(104L)を束ねる右結束帯(192R)を
含むことを特徴とする請求項１〜６の何れかに記載した携帯バッグ。
【発明の詳細な説明】
【技術分野】
【０００１】
本発明は、少なくとも、手に提げるか、背負うかの方法で携帯可能な携帯バッグに関する。
特に、手提げバッグとして使用する場合、背負いベルトがバッグ底面よりも下がらないようにした利便性が高い携帯バッグに関する。
更に詳しくは、手提げバッグとして使用する場合、背負いベルトがバッグ底面よりも下がらないと共に、手提げバッグとして使用する場合、持ち手の山高を調整できるようにした利便性が高い携帯バッグに関する。
更には、手に提げるか、背負うかの方法で携帯可能な携帯バッグであって、手提げバッグとして使用する場合、背負いベルトがバッグ底面よりも下がらないことで利便性が高いと共にファッショナブルな、働く女性向けの携帯バッグに関する。
なお、本明細書において、第1、第2等の順番を表す用語は、同一機能を有する装置等を区別するために用いたものであり、権利解釈において、特定の意味を有さない。
【背景技術】
【０００２】
この種の第１の従来技術として、少なくとも一つの荷物出入口用開口を備えた容器本体と、上記容器本体の上方に紐状部材を移動可能に通過し得る少なくとも二つの紐通し部を互いに所定距離離して設け、これら紐通し部の双方に少なくとも１本の上記紐状部材を連続して貫通させるとともに、この紐状部材の複数の一端側を離隔して容器本体下方の外側面側に各々を固定して背負い用掛け部を形成するとともに、この紐状部材の他端側が紐通し部に対して通過不能に形成して、上記紐通し部間の上記紐状部材の中間側によって短い荷提げ部を形成した荷提げ機構とから成る３種類の荷提げ形態が得られる携帯用容器が知られている（特許文献１）。
第２の従来技術として、バッグ類の前後両面の左右に位置する４箇所に夫々ベルト通しを設け、そのベルト通しの前面左箇所を下から上へ通り、次いで前面右箇所を上から下へ通り、バッグ類の底を経て後面右箇所を下から上へ通り、次いで後面左箇所を上から下へ通りバッグ類の底へ到る経路に提げ手となるベルトを通して両端を接続し、前後両面でベルト部分を上方へ突出させて提げ手とし、前後片面でベルト部分を前方又は後方へ突出させて背負い紐とするためにベルトをバッグ類の底又はベルト通しの部分の１箇所でバッグ類に止着して成るバッグ類の提げ手が知られている（特許文献２）。
【先行技術文献】
【特許文献】
【０００３】
【特許文献１】第２８５１２５３号（段落００１５〜００３９，図１〜５、７、８）
【特許文献２】実開平６−６６３５５（段落０００５〜００１１，図１〜図５）
【発明の概要】
【発明が解決しようとする課題】
【０００４】
第１の従来技術に関する携帯用容器は、背負い、肩掛け、又は手提げ方式により携帯できるので利便性が高い利点がある一方、手提げする場合、容器本体から上方の持ち手部の長さが長くなり、容器本体の底が地面の近くになることから、紐状部材の長さをその都度調整しなければならず、長さ調整が面倒である問題がある。
第２の従来技術に関するバッグは、一本のループ状のベルトによって、第１の従来技術同様に、背負い、肩掛け、又は手提げ方式が使い分けられるようにしたバッグであるので、利便性が高い利点がある。一方、ベルトは背負いに必要な長さがあるため、手提げする場合、持ち手部の長さが長くなり、バッグの底が地面に着かないようベルトの長さをその都度調整しなければならず、長さ調整が面倒であるという、第１の従来技術と同様の問題がある。
【０００５】
本発明の目的は、少なくとも、背負い、又は手提げすることができると共に、ベルト長さを調整せずとも手提げ時の持ち手部の長さを適当にでき、ベルトが地面に着かないようにした携帯バッグを提供することである。
【課題を解決するための手段】
【０００６】
この目的を達成するため、請求項１にかかる第1の発明は以下のように構成されている。
少なくとも、収納部、背負いベルト、及び背側持ち手部を含み、少なくとも手に提げるか或いは背負うかの二通りの方法で携帯可能なバッグであって、前記収納部は、少なくとも、大凡長方形の底部と、前記底部の一長辺から立設された略矩形の背側部と、前記底部の他の長辺から立設された略矩形の反背側部と、前記背側部と前記反背側部の端部を接続する左マチ部、右マチ部によって構成され、前記背負いベルトは、中間が前記背側部と反背側部の上部に設けられた左右一対の貫通孔に引き通され、一端部が前記背側部の一下部端部に取り付けられ、他端部が前記背側部の他下部端部に取り付けられることにより左背負いベルト部、右背負いベルト部が構成され、前記背側持ち手部の一端部は、前記左背負いベルト部の背側部側に一端部が取り付けられ、前記背側持ち手部の他端部は前記右背負いベルト部に取り付けられることを特徴とする携帯バッグである。
【０００７】
請求項２にかかる第２の発明は、次ぎのように構成されている。
少なくとも、収納部、背負いベルト、及び背側持ち手部を含み、少なくとも手に提げるか或いは背負うかの二通りの方法で携帯可能なバッグであって、前記収納部は、少なくとも、大凡長方形の底部と、前記底部の一長辺から立設された略矩形の背側部と、前記底部の他の長辺から立設された略矩形の反背側部と、前記背側部と前記反背側部の端部を接続する左マチ部、右マチ部によって構成され、前記背負いベルトは、中間が前記背側部が延長された被せ部に設けられた左右一対の貫通孔に引き通され、一端部が前記背側部の一下部端部に取り付けられ、他端部が前記背側部の他下部端部に取り付けられることにより左背負いベルト部、右背負いベルト部が構成され、前記背側持ち手部の一端部は、前記左背負いベルト部の背側部側に一端部が取り付けられ、前記背側持ち手部の他端部は前記右背負いベルト部に取り付けられることを特徴とする携帯バッグである。
【０００８】
請求項３にかかる第３の発明は、次ぎのように構成されている。
少なくとも、収納部、背負いベルト、及び背側持ち手部を含み、少なくとも手に提げるか或いは背負うかの二通りの方法で携帯可能なバッグであって、前記収納部は、少なくとも、大凡長方形の底部と、前記底部の一長辺から立設された略矩形の背側部と、前記底部の他の長辺から立設された略矩形の反背側部と、前記背側部と前記反背側部の端部を接続する左マチ部、右マチ部によって構成され、前記背負いベルトは、左背負いベルト部と右背負いベルト部により構成され、前記左背負いベルト部は、前記背側部の左寄り部において、一端部が前記背側部の下端部に取付けられ、他端部が前記背側部の前記一端部の上方に取り付けられ、前記右背負いベルト部は、前記背側部の右寄り部において、一端部が前記背側部の下端部に取付けられ、他端部が前記背側部の前記一端部の上方に取り付けられ、前記背側持ち手部の一端部は、前記左背負いベルト部の背側部側に一端部が取り付けられ、前記背側持ち手部の他端部は前記右背負いベルト部に取り付けられ、さらに、前記反背側部に、当該反背側部と大凡並列に、ループ形状の反背側持ち手部を設けたことを特徴とする携帯バッグである。
【０００９】
請求項４にかかる第４の発明は、次ぎのように構成されている。
前記背側持ち手部は、前記左背負いベルト部、前記右背負いベルト部に、摺動可能に取り付けられたことを特徴とする第１の発明〜第３の発明の何れかに記載の携帯バッグである。
【００１０】
請求項５にかかる第５の発明は、次ぎのように構成されている。
前記背側持ち手部は、前記左背負いベルト部、前記右背負いベルト部に着脱可能に設けられたことを特徴とする第１〜第３の発明に記載の携帯バッグである。
【００１１】
請求項６にかかる第６の発明は、次ぎのように構成されている。
前記背負いベルトは長さ調整装置を有することを特徴とする第１の発明〜第５の発明の何れかに記載した携帯バッグである。
【００１２】
請求項７にかかる第７の発明は、次ぎのように構成されている。
前記背側持ち手部の一端部が取り付けられた部分を挟んだ前記左背負いベルト部を結束する左結束帯と、前記背側持ち手部の他端部が取り付けられた部分を挟んだ前記右背負いベルト部を結束する右結束帯を含むことを特徴とする第１〜第６の発明の何れかに記載した携帯バッグである。
【発明の効果】
【００１３】
請求項１に係る第１の発明において、手提げバッグとして使用する場合、ベルトの反背側部の貫通孔から反背側に形成される反背側持ち手部と、ベルトの背側部に取り付けられた背側持ち手部を手で持つことにより、手提げバックとして利用できる。この場合、反背側に位置するベルト部分はバッグの重さによって、相対的に引き上げられ、倒立Ｕ字状に折り曲げられる。一方、背側部のベルトは背側持ち手部によって倒立Ｕ字状に折り曲げられる。この倒立Ｕ字状に折り曲げられることにより、ベルトの余分な長さが吸収され、ベルトの下端部が地面に接触しそうになることはない。よって、ベルトの長さが背負いバッグとして適当な長さのベルトであっても、手提げバッグとして使用した場合、地面に着地することがなく、本発明の目的を達成できる利点がある。また、背側持ち手部及び反背側持ち手部は、背側部及び反背側部と大略並行する面内に位置することから、手提げバッグとして用いる場合、手提げし易い利点がある。
【００１４】
請求項２に係る第２の発明において、手提げバッグとして使用する場合、被せ部に設けられたベルトの貫通孔から反背側に突出した反背側持ち手部と、ベルトの背側部に取り付けられた背側持ち手部を手で持つことにより、手提げバックとして利用できる。この場合、反背側に位置するベルト部分はバッグの重さによって、相対的に引き上げられ、倒立Ｕ字状に折り曲げられる。一方、背側部のベルトは背側持ち手部によって倒立Ｕ字状に折り曲げられる。この倒立Ｕ字状に折り曲げられることにより、ベルトの余分な長さが吸収され、ベルトの下端部が地面に接触しそうなることはない。よって、ベルトの長さが背負いバッグとして適当な長さのベルトであっても、手提げバッグとして使用した場合、地面に着地することがなく、本発明の目的を達成できる利点がある。また、背側持ち手部及び反背側持ち手部は、背側部及び反背側部と大略並行する面内に位置することから、手提げバッグとして用いる場合、手提げし易い利点がある。
【００１５】
請求項３に係る第３の発明において、基本的構成は第１の発明又は第２の発明と同一であるので、本発明の目的を達成できる利点がある。さらに、第３の発明において、手提げバッグとして使用する場合、背側持ち手部の一端部は左背負いベルト部の背側部に、他端部は右背負いベルト部の背側部に取り付けられていることから、背側持ち手部の一端部と他端部との間の中間部を持つことにより、背側部側において当該背側部と大凡平行をなす背側持ち手部が構成される。反背側部に、当該反背側部と大凡並列に、ループ形状の反背側持ち手部が設けられる。よって、背側持ち手部と反背側持ち手部を持つことにより、手提げバッグとして利用することができる。手提げバッグとして利用する場合、背側部の背負いベルト部は背側持ち手部によって倒立Ｕ字状に折り曲げられる。このように倒立Ｕ字状に折り曲げられることにより、背側ベルト部の余分な長さが吸収され、背側ベルト部の下端部が地面に接触しそうなることはない。
また、右背負いベルト部と左背負いベルト部を利用することにより、リック状の背負いバッグとしても利用することができる。
【００１６】
請求項４に係る第４の発明において、基本的構成は第１〜第３の発明と同一であるので、本発明の目的を達成できる利点がある。さらに、第４の発明において、背側持ち手部は、前記左背負いベルト部、前記右背負いベルト部に、摺動可能に取り付けられていることから、背負いバッグとして利用する場合、背側持ち手部を右背負いベルト、左背負いベルトのそれぞれに対して摺動させ、背側部に近傍に移動させることにより、背側持ち手部が邪魔にならないようにできる利点がある。また、手提げバッグとして利用する場合、背側持ち手部を右背負いベルト、左背負いベルトのそれぞれに対して摺動させ、背側部の下部端部に近づくように移動させることにより、反背側持ち手部の倒立Ｕ字状に折り曲げられる長さを調整することができるので、手提げし易い長さに調整できる利点がある。
【００１７】
請求項５に係る第５の発明において、基本的構成は第１〜第３の発明と同一であるので、本発明の目的を達成できる利点がある。第５の発明においては、さらに、背側持ち手部は、左背負いベルト部、及び右背負いベルト部に着脱可能に設けられていることから、背負いバッグとして利用する場合、背側持ち手部を取り外すことにより、背側持ち手部の影響がないようにできる利点がある。取り外した背側持ち手部は、バッグの収納部内に収納、又は収納部外面にアクセサリーとして設置する。もちろん、手提げバッグとして用いる場合は、背側持ち手部を再度、左右の背負いベルトに取り付ければ良い。
【００１８】
請求項６に係る第６の発明において、基本的構成は第１〜第３の発明と同一であるので、本発明の目的を達成できる利点がある。第６の発明においては、さらに、ベルトは長さ調整装置を有することから、当該長さ調整装置を用いて背負い時と手提げ時のそれぞれにおいて最適の長さに調整できる利点がある。
【００１９】
請求項７に係る第７の発明において、基本的構成は第１〜第３の発明と同一であるので、本発明の目的を達成できる利点がある。第７の発明においては、さらに、前記背側持ち手部の一端部が取り付けられた部分を挟んだ前記左背負いベルト部を束ねる左結束帯と、前記背側持ち手部の他端部が取り付けられた部分を挟んだ前記右背負いベルト部を束ねる右結束帯が設けられている。したがって、左結束帯によって左背負いベルト部を任意の箇所で束ねることにより、背側持ち手部の一端部を当該左背負いベルトの任意部位に実質的に固定することができる。また、右結束帯によって右背負いベルト部を任意の箇所で束ねることにより、背側持ち手部の一端部を当該右背負いベルトの任意部位に実質的に固定することができる。よって、背側持ち手部の背負いベルト部に対する取付位置を任意に調整できるので、手提げ時において手提げに最適な長さに調整できる利点がある。
【図面の簡単な説明】
【００２０】
【図１】図１は、本発明の実施例１の携帯バッグの反背側左上方からの斜視図である。
【図２】図２は、本発明の実施例１の携帯バッグの背側左上方からの斜視図である。
【図３】図３は、本発明の実施例１の携帯バッグの縦断面図であり、(Ａ)は背負いベルトが屈曲されない状態、(Ｂ)は背負いベルトが屈曲された状態である。
【図４】図４は、本発明の実施例１の携帯バッグを背負いバッグとして背負った場合の斜視図である。
【図５】図５は、本発明の実施例２の携帯バッグの背側左上方からの斜視図である。
【図６】図６は、本発明の実施例２の携帯バッグの背側持ち手部の右端部の拡大図であり、（Ａ）は平面図、（Ｂ）は（Ａ）におけるＢ―Ｂ線断面図である。
【図７】図７は、本発明の実施例２の携帯バッグの縦断面図である。
【図８】図８は、本発明の実施例３の携帯バッグの背側持ち手部の右端部の拡大図であり、（Ａ）は平面図、（Ｂ）は（Ａ）における矢視Ｂ図である。
【図９】図９は、本発明の実施例４の携帯バッグの反背側右上方からの斜視図である。
【図１０】図１０は、本発明の実施例４の携帯バッグの平面図である。
【図１１】図１１は、本発明の実施例４の携帯バッグ正面上方からの斜視図である。
【図１２】図１２は、本発明の実施例４の携帯バッグの中央部の縦断面図である。
【図１３】図１３は、本発明の実施例４の携帯バッグの背側持ち手部の左端部の拡大図であり、（Ａ）は平面図、（Ｂ）は（Ａ）におけるＢ―Ｂ線断面図である。
【図１４】図１４は、本発明の実施例５の携帯バッグの反背側右上方からの斜視図である。
【図１５】図１５は、本発明の実施例６の携帯バッグの背側右上方からの斜視図である。
【図１６】図１６は、本発明の実施例７の携帯バッグであり、（Ａ）は図３と同一位置での縦断面図、（Ｂ）は結束帯の展開図である。
【図１７】図１７は、本発明の実施例７の携帯バッグの背側右上方からの斜視図である。
【図１８】図１８は、本発明の実施例８の携帯バッグの背側右上方からの斜視図である。
【図１９】図１９は、本発明の実施例９の携帯バッグの背側上方からの斜視図である。
【図２０】図２０は、本発明の実施例９の携帯バッグの反背側上方からの斜視図である。
【発明を実施するための形態】
【００２１】
本発明における実施例の携帯バッグ100は、少なくとも、収納部102、背負いベルト104、及び背側持ち手部106を含み、少なくとも、手に提げるか或いは背負うかの二通りの方法で携帯可能なバッグであって、前記収納部102は、少なくとも、大凡長方形の底部108と、前記底部108の一長辺から立設された略矩形の背側部112と、前記底部108の他の長辺から立設された略矩形の反背側部114と、前記背側部112と前記反背側部114の端部を接続する左マチ部116及び右マチ部118によって構成され、前記背負いベルト104は、中間部104Mが前記背側部112と反背側部114の上部に設けられた左右一対の貫通孔122L、122R、124L、124Rに引き通され、一端部が前記背側部112の左係止部112Lに取り付けられ、他端部が前記背側部112の右係止部112Rに取り付けられることにより左右の背負いベルト部104L、104Rが構成され、前記背側持ち手部106の一端部は、前記左背負いベルト部104Lの背側部112側に一端部が取り付けられ、前記背側持ち手部106の他端部は前記右背負いベルト部104Rに取り付けられたことを特徴とする携帯バッグである。なお、反背側部114を延長した被せ部112Eに左右一対の貫通孔184L、184Rを設けることもできる。
この構成によって、図4に示すように、携帯バッグ100を背負う場合は、右背負いベルト部104Rを右肩RSに掛け、左背負いベルト部104Lを左肩LSに掛けることにより背負うことが出来る。この場合、背側持ち手部106は、背中B側に位置することになるが、背負いの邪魔になることはない。手提げする場合、図3に示すように、反背側部114に位置するベルト104の中間部104Mを上方に引き上げ、背側部112の背側持ち手部106を上方に引き上げて両者を手で握ることにより、手提げ携帯バッグとして利用できる。
【実施例１】
【００２２】
図1〜4を参照しつつ実施例１にかかる携帯バッグ100を説明する。
携帯バッグ100は、収納部102にパソコン等の携帯機器や書類を入れ、少なくとも、背負いベルト104を利用して背負い、背負いベルト104の中間部104Mと背側持ち手部106を持って手提げされる機能を有し、大まかには、図１に示すように、少なくとも、収納部102、背負いベルト104、背側持ち手部106、背側貫通孔122、反背側貫通孔124を含んでいる。
【００２３】
まず収納部102を説明する。
収納部102は、携帯バッグとしての基本機能である、書類等の物を収納する機能を有し、底部108、背側部112、反背側部114、左マチ部116、右マチ部118によって、大凡立法体に構成される。これらの材質は、皮革、人工皮革、布、編み物、合成樹脂、木材、竹材、金属材、FRP（fiber-glass reinforced plastic）等、所定の強度を有し、携帯バッグとして必要な柔軟性を有する素材であれば用いることができる。背負いベルト104及び背側持ち手部106も、デザインに応じて収納部102と同一の材料、又は異なる材料によって製造される。
【００２４】
まず、底部108を主に図1〜図4を参照して説明する。
底部108は、立方体の底部を構成し、一対の長辺部108Lと一対の短辺部108Sによって、大凡長方形に形成されるが、正方形、楕円形等であっても良い。本実施例1においては、底部108、背側部112、及び反背側部114が一体の長方形に形成され、中央部の一部が底部108を構成する。また、底部108単体として構成し、背側部112、反背側部114と縫合、接着等の接続手段によって一体化しても良いし、それらを一体化して製造し、部分的に区分けしても良い。
【００２５】
次に背側部112を説明する。
背側部112は、底部108の一長辺である背側縁108LBから垂立する壁面であり、本実施例1においては大凡矩形に形成されている。背側部112は、携帯バッグ100の外観を担うことから、型崩れしないようにある程度の剛性が必要であるものの、背負う際、背中に密着することから、背負った際、背中に違和感を感じさせない程度の柔軟性を有していることが好ましい。本実施例1において、背側部112の上端部には、背負いベルト104が引き通される背側貫通孔122が穿孔され、背側部112の右下端部には、背負いベルト104の右端部を係止する右係止部112Rが、左下端部には背負いベルト104の右端部を係止する左係止部112Lが設けてある。
【００２６】
次に背側貫通孔122を説明する。
背側貫通孔122は背負いベルト104の中間が引き通される機能を有し、本実施例1においては、背側左貫通孔122Lと背側右貫通孔122Rにより構成されている。左右一対の背側左貫通孔122Lと背側右貫通孔122Rは、背負い及び手提げに適した所定の間隔で設けられている。背側左貫通孔122Lと背側右貫通孔122Rの間隔は、背負ったときに間隔が狭いとか広いとかの違和感を感じさせない間隔にすることが好ましい。背側左貫通孔122L、背側右貫通孔122Rの形状は、円形、楕円形、長方形等、全体のデザインとの関係で決定される。また、本実施例１においては、背側部112の上部をくり抜いて背側左貫通孔122L、背側右貫通孔122Rを構成したが、背側部112の上端にリングを取付けることにより、リング穴を背側左貫通孔122L、背側右貫通孔122Rにすることができる。さらに、背側左貫通孔122L、背側右貫通孔122Rの内周縁は、金属金具等によって補強することが好ましい。後述する背負いベルト104との摺接や偏荷重によって穴形状が部分的に変形するのを防止するためである。
【００２７】
次に右係止部112Rを説明する。
右係止部112Rは、背負いベルト104の先端の右ナスカン132Rが係止される機能を有し、本実施例1においては背側部112の右下角部に固定された金属製のビラカンによって構成されている。したがって、背負いベルト104の右先端の右ナスカン132RをＤ型等のビラカンに係止することにより、背負いベルト104の右側先端が背側部112の右下端部に係止されることになる。しかし、右係止部112Rは背側部112の右下角部でなくとも、例えば、底部108の下面、又は、底部108の下面に沿わせて反背側部114に回し込み、反背側部114に設けた右係止部112Rに係止させることができる。
【００２８】
次に左係止部112Lを説明する。
左係止部112Lは、後述のベルト104の先端の左ナスカン132Lが係止される機能を有し、本実施例1においては背側部112の左下角部に固定されたビラカンによって構成されている。したがって、ベルト104先端の左ナスカン132LをＤ型等のビラカンに係止することにより、ベルト104の左側先端が背側部112の左下端部に係止されることになる。しかし、左係止部112Lは背側部112の右下角部でなくとも、右係止部112Rと同様に、底部108の下面、又は、底部108の下面に沿わせて反背側部114に回し込み、反背側部114に設けた左係止部112Lに係止しても良い。
【００２９】
次に反背側部114を説明する。
反背側部114は、底部108の他の長辺である反背側縁108Loから垂立する壁面であり、本実施例1においては大凡矩形に形成されている。反背側部114は、背側部112と共に携帯バッグ100の外観を担うことから、型崩れしないようにある程度の剛性が必要であるが、背中Bには密着しないので背側部112よりも堅くとも問題はない。また、外表面には、小物入れ等のポケット等を配置することもできる。本実施例1において、反背側部114の上端部には、反背側貫通孔124が設けられている。
【００３０】
次に反背側貫通孔124を説明する。
反背側貫通孔124は、背負いベルト104の中間が引き通される機能を有し、本実施例1においては、反背側部114の上部に、左右一対の反背側左貫通孔124L、反背側右貫通孔124Rが所定の間隔で設けられている。反背側左貫通孔124Lと反背側右貫通孔122Rの間隔は、背側左貫通孔122Lと背側右貫通孔122Rの間隔と等しく構成してある。また、反背側左貫通孔124Lと反背側右貫通孔124Rの形状は、背側左貫通孔122L、背側右貫通孔122Rの形状と同一にしてある。換言すれば、背側部112と反背側部114との上端部を近づけた場合、背側左貫通孔122Lと反背側左貫通孔124L、背側右貫通孔122Rと反背側右貫通孔124Rが重なるように構成されている。しかし、これらは必ずしも重なる必要性はない。さらに、反背側左貫通孔124Lと反背側右貫通孔124Rも背側左貫通孔122L及び背側右貫通孔122Rに合わせて反背側部114の上端に取り付けたリングによって構成することができる。したがって、背負いベルト104の中間104Mは、反背側左貫通孔124Lと反背側右貫通孔124Rの間の反背側部114と密着し、背側部112側への移動が制限されることになる。
【００３１】
次に左マチ部116を説明する。
左マチ部116は、少なくとも、背側部112と反背側部114との左側端部を接続する機能を有し、収納部102への収納物の量に応じて背側部112と反背側部114との間隔が自動調整されるように、柔軟性を有することが好ましい。本実施例1においては、左マチ部116は、背側部112、反背側部114よりも厚みが薄い材料で略縦長台形に形成され、下端部が底部108の短辺部、背側垂立端部が背側部112、反背側垂立端部が反背側部114に縫製、接着等によって固定されている。
【００３２】
次に右マチ部118を説明する。
右マチ部118は、左マチ部116と同一の機能を背側部112、反背側部114の右端部で担っており、構成も右マチ部118に対して対称ではあるが同一に構成されているので、説明を省略する。
【００３３】
本実施例１の携帯バッグ100においては、さらに、背側部112の背側右貫通孔122R、背側左貫通孔122Lよりも下方であって、上端部内面に背側天マチ126B、反背側天マチ126oが設けられ、それらはファスナー128によって一体化、又は分離されるように構成されている。しかし、背側天マチ126B、反背側天マチ126o及びファスナー128を設けることなく、開放状態であってもよい。
【００３４】
次に背負いベルト104を説明する。
背負いベルト104は、主に背負いバッグ100Bとして利用する際、背負いベルトとしてその略全体が機能し、手提げバッグ100Hとして利用する際は反背側部114の外面側に表れた中間部104Mが反背側持ち手部104Hとして機能する。本実施例1において、背負いベルト104は、所定の幅と厚みを有する一本の長い帯状に構成され、その両端部には左ナスカン132L、右ナスカン132Rが取り付けられている。背負いベルト104は、その中間部104Mを反背側部114の外側に置いた状態で、右ナスカン132Rを反背側右貫通孔124R、背側右貫通孔122Rの順に引き通して右係止部112Rに係止する。一方、左ナスカン132Lを反背側左貫通孔124L、背側貫通孔122Lの順に引き通して左係止部112Lに係止する。これにより、背負いベルト104は、右係止部112Rから左係止部112Lまで一本につながった紐状になる。そして、中間部104Mは、反背側部114の表側に位置しているから、背側部112に位置するベルト104のうち、背側右貫通孔122Rから右ナスカン132Rの間は右背負いベルト部104Rになり、背側左貫通孔122Lから左ナスカン132Lの間は左背負いベルト部104Lになる。したがって、背負いベルト部104Bは、右背負いベルト部104Rと左背負いベルト部104Lによって構成される。背負いベルト104は、背負いベルト部104Bと中間部104M（反背側持ち手部104H）によって構成される。
手提げバッグ100Hとして利用する場合、図3に示すように、背負いベルト104の中間部104M（反背側持ち手部104H）が引き上げられ、右背負いベルト部104R、及び左背負いベルト部104Lが背側右貫通孔122R、反背側右貫通孔124R、背側左貫通孔122L、反背側左貫通孔124Lに対して反背側部114側にずらされ、倒立U字状に山高になり、中間部104Mを手で持つための反背側部114の上端と中間部104Mとの間に手で握るための空間が形成される。また、後述の背側持ち手部106が上方に引き上げられ、倒立U字状に山高にされる。反背側持ち手部104Hと背側持ち手部106を手で握って持ち上げることにより、携帯バッグ100は手提げバッグ100Hとして手提げすることができる。
【００３５】
背負いベルト104は、その長さを体格に合わせて調整するため、長さ調整装置140と組み合わせることが好ましい。長さ調整装置140は、公知の方式、例えば、一対のＤカン、丸カン、角カン等を利用した無段階摩擦保持式、ベルトに穿孔した穴に線材を通す段階保持式等によって構成されることができる。長さ調整装置140は、左ナスカン132Lの近くに配置した左長さ調整装置140L、右ナスカン132Rの近くに配置した右長さ調整装置140Rによって構成することが好ましい。
【００３６】
次ぎに背側持ち手部106を説明する。
背側持ち手部106は、反背側持ち手部104Hと共同して持ち手部133を構成する機能を有し、本実施例１においては、左背負いベルト104Lの中間と、右背負いベルト104Rを連結するベルト等の紐よりなる第1背側持ち手部1061によって構成されている。第1背側持ち手部1061は、持ち手ベルト106Bと両端の左取付部130Lと右取付部130Rによって構成されている。持ち手ベルト106Bは、皮、布等によって構成された一本の短ベルト、又は、複数本の糸を撚り合わせた太糸等を採用することができるが、本実施例1においては、革ベルトによって構成されている。左取付部130Lは左背負いベルト104Lの中間に取り付けられる機能を有する。右取付部130Rは右背負いベルト104Rの中間に取り付けられる機能を有する。本実施例1において、左取付部130Lは左背負いベルト104Lの中間に、及び右取付部130Rは右背負いベルト104Rの中間に縫製、接着、カシメなどによって強固に固定されている。手提げバッグ100Hとして用いる場合、第1背側持ち手部1061と反背側持ち手部104H（中間部104M）の中間を握って引き上げる。図3(A)に示すように、収納部102内の重量によって、反背側持ち手部104Hと第1背側持ち手部1061とが逆U字状に曲がった状態で引き上げることができる。この状態において、反背側持ち手部104Hは上方へ引き上げられ、大凡、第1背側持ち手部1061が背側右貫通孔122R、背側左貫通孔122Lに係止されるまで引き上げられる。これにより、反背側持ち手部104H（中間部104M）が引き上げられた分、背側部112の左背負いベルト部104L及び右背負いベルト部104Rの長さが短くなるので、底部108よりも下方にそれらが垂れ下がらない。よって、左背負いベルト部104L及び右背負いベルト部104Rの一部が地面（床面）に着地して汚れることがない。また、図3(B)に示すように、背側持ち手部106の持ち手ベルト106Bを短くし、背負いベルト部104Bが比較的柔軟である場合、取付部130によって背負いベルト部104Bの一部が上方に逆U字状に折り曲げられた状態で手提げバッグ100Hとして用いることができる。
【実施例２】
【００３７】
次に図５〜図７を参照して実施例２の携帯バッグ100を説明する。
説明を簡略化するため、実施例１と同一部には同一符号を付して説明を省略し、異なる構成を説明する。
実施例１では第１背側持ち手部1061を構成する持ち手ベルト106Bの左取付部130Lが左背負いベルト部104Lに、及び右取付部130Rが右背負いベルト部104Rにそれぞれ固定されているが、実施例２は、持ち手ベルト106Bの左取付部130Lが左背負いベルト部104Lに、及び右取付部130Rが右背負いベルト部104Rに対してその長手に沿って摺動可能にして取付位置を変更できるよう構成された第２背側持ち手部1062によって構成されている。取付位置の変更は、本実施例２においては無段階であるが、段階的であっても良い。
【００３８】
次に第２背側持ち手部1062を説明する。
第２背側持ち手部1062は、持ち手ベルト106の右端の右取付部130Rが図6に示すように、右位置調整可能取付部150Rである右リング148R、左端の左取付部130Lが左位置調整可能取付部150Lである左リング148Lに形成されている。右位置調整可能取付部150Rは右背負いベルト104Rに対しする取付位置が変更可能、左位置調整可能取付部150Lは左背負いベルト104Lに対する取付位置が変更可能な機能を有する。右位置調整可能取付部150Rを構成する右リング148Rと、左位置調整可能取付部150Lを構成する左リング148Lは、同一構成であるが対称に構成されているので、右リング148Rを代表して説明する。
【００３９】
右リング148Rは、持ち手ベルト106Bの右端部を右背負いベルト104Rの幅方向の全幅をくるむように折り返して先端部106Tと持ち手ベルト106Bを貫通する右ハトメ134Rによって固定し、扁平の右通孔136Rを構成している。右ハトメ134Rは、本実施例２においてはカシメ方式であるが、他の固定方式であっても良い。
この構成によって、右背負いベルト部104Rは、右リング148Rを緩い状態で貫通していることから、右リング148Rに対して摺動させることができる。したがって、中間部104Mの反背側部114側に位置する長さを調整することができる。換言すれば、反背側持ち手部104Hの長さを調整することができる。この調整は左リング148Lにおいて同様にできる。したがって、反背側持ち手部104Hの長さを調整することができるので、手提げしやすい長さに調整することができる利点がある。また、背負いバッグ100Bとして利用する場合、第2背側持ち手部1062の位置を背負いに違和感のない位置に調整することができる利点がある。
【実施例３】
【００４０】
次に実施例３を図８を参照しつつ説明する。
実施例３は、携帯バッグ100に用いる背側持ち手部106の実施例であり、実施例２における、右位置調整可能取付部150R、左位置調整可能取付部150Lの変形実施例である。実施例３の右位置調整可能取付部150R、左位置調整可能取付部150Lは、背側持ち手部106が左背負いベルト部104L及び右背負いベルト部104Rに対して取付位置を変更できると共に、当該取付位置を維持できるよう構成された第３背側持ち手部1063によって構成されている。具体的には、持ち手ベルト106Bの右端の右取付部130Rが右保持機能付取付部138R、左端の左取付部130Lが左保持機能付取付部に構成されている。
【００４１】
実施例3において、右保持機能付取付部138Rと左保持機能付取付部は、同一構成であるが、左右対称に構成されているので、右保持機能付取付部138Rを代表して説明する。
右保持機能付取付部138Rは、全体として略矩形であり、横長の第1リング142Rと、縦長の第２リング144Rが一体化され、抵抗付与体146Rが第1リング142Rに関連して設けられている。第1リング142Rは、第1リング第1長辺部152R、第1リング第２長辺部154R、第1リング第1短辺部156R、第1リング第2短辺部158Rによって四角リング状に形成されている。第２リング144Rは、第２リング第1長辺部162R、第2リング第2長辺部164R、第2リング第1短辺部166R、及び第2リング第2短辺部168Rによって四角リング状に形成されている。図8(B)から明らかなように、第1リング第2短辺部158Rと第2リング第1長辺部162Rは、同一の断面略円形の棒体部によって構成されている。抵抗付与体146Rは第1リング142Rと共同して右背負いベルト104Rの間に移動抵抗を生じさせると共に、必要に応じて右背負いベルト104Rの長手方向に対しスライドできる機能を有し、本実施例3においては、中央の直線的な棒体172Rとその左端に形成された第1環状部174Rと、右端に形成された第2環状部176Rによって構成されている。第１環状部174Rは、第1リング第1短辺部156Rに摺動可能に嵌合され、第2環状部176Rは第1リング第2短辺部158Rに摺動可能に嵌合され、棒体172Rが第1リング第1長辺部152R、及び第1リング第２長辺部154Rと同一平面内に位置するように、一体化されている。図8に示すように、右背負いベルト104Rは第1リング第1長辺部152Rと第1リング第2長辺部154Rの上側に配置されると共に、抵抗付与体146Rの下側へ配置される。この構成によって、右背負いベルト104Rは、抵抗付与体146Rによって屈曲されることから、右背負いベルト104Rの張力が大きい状態においては、右背負いベルト104Rと抵抗付与体146Rとの間の摩擦抵抗が増加し、実質的にそれらは相対移動不可になる。しかし、右背負いベルト104Rの張力を緩和することにより、右背負いベルト104Rと抵抗付与体146Rとの間の摩擦抵抗が減少し、右保持機能付取付部138Rの右背負いベルト104Rに対する相対位置を変更することができる。
【００４２】
次に第2リング144Rを説明する。
第2リング144Rには、持ち手ベルト106Bの一端部が取り付けられている。したがって、右保持機能付取付部138Rの右背負いベルト104Rに対する相対位置を変更し、かつ左保持機能付取付部138Lの左背負いベルト104Lに対する相対位置を変更することにより、持ち手ベルト106B、したがって、第3背側持ち手部1063の背負いベルト104Bに対する取付位置を変更することができる。結果とし、実施例2と同様に、反背側持ち手部104Hの長さを変更することができる。さらに、実施例3においては、保持機能を有していることから、第３背側持ち手部1063の位置が維持される利点がある。
【実施例４】
【００４３】
次に本発明に係る携帯バッグ100の実施例４を図9〜図13を参照して説明する。
実施例４は、背側持ち手部106たる第4背側持ち手部1064を背負いベルト104Bに着脱自在に取り付けた例である。本実施例４は、右取付部130Rと左取付部130Lは同一であるが左右対称に構成されているので、右取付部130Rを代表して説明し、実施例2と同一機能部には、同一符号を付し、異なる構成を説明する。第４背側持ち手部1064は、ベルト部104Bの端部が背負いベルト104Bを取り巻くように設けられ、先端部106Tが着脱可能固定装置162によってベルト104Bに取り付けられ、着脱可能固定装置162を取り外すことにより、背負いベルト部104B対し着脱自在である。本実施例4における着脱可能固定装置162は、ネジ式ハトメ164を採用することにより着脱可能になっている。
【００４４】
次にネジ式ハトメ164を主に図１3を参照して説明する。
ネジ式ハトメ164は、ベルト104Bの左端部及び右端部にも設けられているが両者は同一構成であるため、右ネジ式ハトメ164Rを代表して説明し、必要があれば、右ネジ式ハトメ164Rの同一機能部には同一数字とアルファベットのLをRに書き換えて表示し、説明は省略する。右ネジ式ハトメ164Rは雌型ハトメ部材164Fと雄型ハトメ部材164Mによって構成されている。雌型ハトメ部材164Fは内周面に雌ネジが形成された円筒状の雌ねじ部166Fと、雌ねじ部166Fの一端部に形成された雌係止皿部168F、及び雌係止皿部168Fに形成された雌工具係止溝172Fにより構成されている。雌ねじ部166Fは持ち手ベルト106Bの先端部106Tを持ち手ベルト106Bの中間に固定し、積み重ねられたハトメ穴164Aと164Bに挿入される。
雄型ハトメ部材164Mは、雄ねじ部166Mと雄係止皿部168M、雄工具係止部172Mにより構成され、雄ねじ部166Mを雌ねじ部166Fに螺合することにより、右背負いベルト104Rの周囲を取り囲むと共に、持ち手ベルト部106Bと折り返された当該持ち手ベルト部106Bの先端部106Tを挟んだ状態で固定することができる。雌工具係止溝172Fと雄工具係止部172Mに工具を係止して、それらを強固に締め付けることにより、雄型ハトメ部材164Mと雌型ハトメ部材164Fを強固に固定することができる。逆に、雄ねじ部166Mを雌ねじ部166Fから外すことにより、持ち手ベルト106Bの端部に形成したループを解消できることから、第4背側持ち手部1064は背負いベルト104に対し着脱可能である。取り外した第4背側持ち手部1064は、収納部102に収納する。
【実施例５】
【００４５】
次に実施例５に係る携帯バッグ100を図１４を参照しつつ説明する。
実施例５の携帯バッグ100は、長さ調整装置140が中間部104Mに設けられている構成に特徴がある。実施例５の長さ調整装置140は、ベルト104が右ベルト104Rと左ベルト104Lに分割されている。左ベルト104Lの一端は実施例1と同様に、左ナスカン132Lによって左係止部112Lに係止され、他端部には複数の係止穴176A〜176Dが所定の間隔で穿孔されている。係止穴176A〜176Dが形成された左ベルト104Lの他端部は反背側左貫通孔124Lを貫通されて反背側部114の外面側に配置される。右ベルト104Rの一端は実施例１と同様に、右ナスカン132Rによって右係止部112Rに係止され、他端部は反背側右貫通孔124Rを貫通されて反背側部114の外面側に位置され、矩形のバックル178とバックル178に取り付けられた線材182が設けられている。換言すれば、実施例５の長さ調整装置140は、ズボン用等のベルトのバックル部分と同一構成になっている。したがって、線材182を選択した係止穴176A〜176Dの何れかに貫通させてバックル178に係止させることにより、安定状態となり、選択された係止穴176A〜176Dに応じてベルト104の長さが調整されることになる。実施例5においては、手提げバッグ100Hとして用いる場合、バックル178部分を手で持つことになる。また、バックル178がデザインの一部となり、外観品質を高めることができる。
【実施例６】
【００４６】
次に実施例6に係る携帯バッグ100を図15を参照して説明する。
実施例6は、背側部112が延長された被せ部112Eの上面に設けられた第2左貫通孔184Lに左背負いベルト部104L、第2右貫通孔184Rに右背負いベルト部104Rが引き通されている。本実施例6において、背側部112の上端部が反背側部114の上部側方まで延長され、収納部102の上面開口を覆う被せ部112Eと、反背側部114の上部側方に位置される被せ部先端112Tにより構成され、当該被せ部先端112Tは背側部112及び反背側部114にそれぞれ固定された公知の一対の錠前によって、反背側部114に固定又は解錠できるように構成されている。第2左貫通孔184L及び第2右貫通孔184Rは一枚の細長帯状体184によって構成されている。本実施例6において、細長帯状体184は、被せ部112Eの上面に縫製、接着等によって固定されるが、左背負いベルト部104L及び右背負いベルト部104Rが引き通される部分は、被せ部112Eに固定することなく被せ部112Eから浮かして空間たる第2左貫通孔184L、第2右貫通孔184Rを形成し、当該第2左貫通孔184L、第2右貫通孔184Rにそれぞれ左背負いベルト部104L、右背負いベルト部104Rが引き通されている。それら左背負いベルト部104L、右背負いベルト部104Rの背側部112には背側持ち手部106が摺動可能に取り付けてある。細長帯状体184は、一枚物でなく、別体に構成することもできる。
【００４７】
実施例６の携帯バッグ100を背負いする場合、中間部104Mが反背側部114において第2左貫通孔184L、第2右貫通孔184Rを構成する細長帯状体184の側面に密着するまで左背負いベルト部104L、右背負いベルト部104Rを引き出して用いる。この場合、背側持ち手部106の右リング148R、左リング148Lを細長帯状体184側へ左背負いベルト部104L、右背負いベルト部104Rに対してそれぞれずらしておくのがよい。
実施例6の携帯バッグ100を手提げする場合、中間部104Mを引き上げて手提げ持ち手として適当な長さになるよう、左背負いベルト部104L、右背負いベルト部104Rを第2左貫通孔184L、第2右貫通孔184Rに対してそれぞれずらし、背側持ち手部106を中間部104Mと共に引き上げれば良い。
【実施例７】
【００４８】
次に実施例７に係る携帯バッグ100を図16及び図17を参照しつつ説明する。
実施例7は、背側持ち手部106(第２背側持ち手部1062)の端部たる位置調整可能取付部150(左位置調整可能取付部150R、右位置調整可能取付部150L)を背負いベルト部104Bに実質的に固定できる結束帯192を設けた例である。本実施例1において、結束帯192は、背負いベルト部104Bに取り付けた背側持ち手部106の位置調整可能取付部150を挟んだ部位を二本まとめて束ねる機能を有する。具体的には、第二背側持ち手部1062の右リング148Rが引き通されている右背負いベルト部104Rが右リング148Rの前後において、右結束帯192Rによって外周を撒かれて束ねられ、倒立U字形をなしている。同様に、第二背側持ち手部1062の左リング148Lが引き通されている左背負いベルト部104Lが左リング148Lの前後において、左結束帯192Lによって外周を撒かれて束ねられ、倒立U字形をなしている。このように、結束帯192によって背負いベルト部104が逆U字状に屈曲されることにより、リング148、したがって、第２背側持ち手部1062と背負いベルト104との摩擦力が増加し、それらがズレにくくなる。具体的には、右リング148Rに引き通された右背負いベルト部104Rが、右リング148Rの背側部112に対する前後において、右結束帯192Rによって束ねられることにより、その束ね方が緩い状態であっても、右リング148Rを折り返し部とする逆U字状、又はヘアピン形状にされ、右リング148Rと右背負いベルト部104Rとが小角度で接触することから、それらの間の摩擦係数が増加し、それらがズレにくくなる、換言すれば、右リング148Rと右背負いベルト部104Rとが実質的にズレなくなる。さらに、右結束帯192Rによって、右リング148Rの前後の右背負いベルト部104Rが圧接状態で束ねられることにより、右リング148Rと右背負いベルト部104Rとがズレないようにすることができる。左結束帯192Lによって、左リング148Lと左背負いベルト部104Lとの関係も同様である。
【００４９】
次に結束帯192を主に図16(B)を参照しつつ説明する。
結束帯192は左結束帯192Lと右結束帯192Rを含み、両者は同一構成であるので、右結束帯192Rを代表して説明する。右結束帯192Rは柔軟性(伸縮性は必須では無い。)を有し、右背負いベルト部104Rの右リング148Rの背側部112に対する前後の部分、したがって、二本の右背負いベルト部104Rを束ねる機能を有する。本実施例７において、右結束帯192Rは所定の幅Wを有し、かつ所定の長さLを有する柔軟性を有する帯状に形成されている。また、右結束帯192Rの一端部192REと他端部192ROEには、容易に締結又は締結解除できる束ね状態維持装置194が設けられている。右結束帯192Rは、柔軟性を有する材料、本実施例7においては、厚手の布によって製造されているが、柔軟性を有する樹脂、金属等であってもよい。柔軟性とは、束ねるための変形が可能で有ることを意味し、伸縮性は必須の要件では無い。その意味において、小片をヒンジ連結することにより、背負いベルト104を束ねることができるようにした、段階的な柔軟性体であっても良い。また結束帯192は必ずしも所定の幅を有する帯状でなく、紐状であっても良い。
【００５０】
次に束ね状態維持装置194を説明する。
束ね状態維持装置194は、背負いベルト104を束ねた状態を継続できるようにする機能を有する。本実施例１においては、布製の右結束帯192Rが右背負いベルト部104Rに巻き付けられた状態を維持するように、右結束帯192Rの一端部192RE1と他端部192RE2とを連結する束ね状態維持装置194が設けられている。束ね状態維持装置194は、容易く一端部192RE1と他端部192RE2とを連結、又は解除できる装置によって構成することが好ましい。本実施例1においては、束ね状態維持装置194として公知の面ファスナー196が用いられている。面ファスナー196は、右結束帯192Rの一端部表面に固定された第一係止体1961と、他端部裏面に固定された第二係止体1962とよりなり、第一係止体1961と第二係止体1962とが係合することにより、所定の結合力を発揮する。左結束帯192Lにも同様に、束ね状態維持装置194が設けられている。束ね状態維持装置194は、面ファスナー196の他、紐を用いた場合の結び目、弦巻形状にしたバネ等であっても良い。結束帯192自身が状態維持機能を有する場合、当該自己が有する状態維持機能を用いることができるが、前述した状態維持機能と束ね状態維持装置194を併用することができる。
【００５１】
本実施例７によれば、右結束帯192Rによって、右リング148Rの背側部112に対する前後の右背負いベルト部104Rを束ね、左結束帯192Lによって、左リング148Lの背側部112に対する前後の左背負いベルト部104Lを束ねることにより、左リング148Lが左背負いベルト部104Lに対し、右リング148Rが右背負いベルト部104Rに対し、実質的にズレないようにすることができる。これによって、背側部112における背側持ち手部106の右背負いベルト104R、及び左背負いベルト104Lに対する位置を実質的に固定化することができるので、手提げバッグ100Hとして使用する場合の長さを安定させることができる利点がある。本実施例７のように、左背負いベルト部104L及び右背負いベルト部104Rに係止する背側持ち手部106の位置を保持できるようにした場合、肩掛けバッグとして使用する場合の背側持ち手部106の位置調整に適している。
【実施例８】
【００５２】
次に実施例８に係る携帯バッグ100を図18を参照しつつ説明する。
実施例８は、実施例７において、背負いベルト104の長さを調整可能にした一例である。したがって、実施例７と同一部分には同一符号を付して説明を省略し、異なる構成を説明する。
本実施例８における背負いベルト104は、主背負いベルト104Pと従背負いベルト104Vにより構成されている。主背負いベルト104Pは、一端が右側端部の底部108に固定され、中間部104Mは右係止部112Rに引き通された後、反背側部114へ配置された後、右係止部112Rに引き通されて背側部112側へ戻される。主背負いベルト104Pの背側部112の端部には、長手方向に沿って長さ調整のための係止孔104Aが複数穿孔されている。従背負いベルト104Vの一端は、左側端部の底部108に固定され、他端部には尾錠止め型のバックル198が取り付けられている。主背負いベルト104Pの一の係止孔104Aにバックル198を構成するピンが貫通され、背負いベルト104の長さが設定される。したがって、係止孔104Aとバックル198によって、長さ調整装置140が構成される。また、バックル198は、二つ穴型、布ベルト用バックル等公知の種々のバックルを採用することができる。即ち、長さ調整装置140は、同様の機能を有する他の機構を採用することができる。
本実施例８の携帯バッグ100は、背負いバッグ、又は肩掛けバッグとして利用する場合、長さ調整装置140によって背負いベルト104の全長を背負い、又は肩掛けに適した長さとし、背側部112の左右に位置する左背負いベルト部104L、及び右背負いベルト部104Rを用いて背負い、又は肩掛けすることができる。この場合、結束帯192は装着したままでも良いし、又は取り外しても良い。
手提げバッグ100Hとして用いる場合、実施例７と同様に、反背側持ち手部104Hと持ち手ベルト106Bを持てば良い。手提げの長さを調節する場合、実施例7において説明したように、左結束帯192Lによって左背負いベルト104L、右結束帯192Rによって右背負いベルト104Rを所定の位置で束ねることにより、長さ調整ができる。背負いベルト104全体の長さを調整する場合、バックル198を係止する係止孔104Aを選択することにより調整することができる。
【実施例９】
【００５３】
次に実施例９に係る携帯バッグ100を図19及び図20を参照しつつ説明する。
実施例９は、第9背負いベルト部904Bと第9反背側持ち手部904Hとが異なるベルトによって構成されると共に、手提げバッグ100Hとして用いる場合における第９背負いベルト904Bの長さを調整可能にした携帯バッグ100である。
他の実施例と同一部には同一符号を付し、異なる構成を説明する。
実施例９の携帯バッグ100は、第9左背負いベルト904L、第9右背負いベルト904R、反背側持ち手部904H、背側持ち手部106、右結束帯192R、及び左結束帯192Lによって構成されている。
【００５４】
まず、第9右背負いベルト904Rを説明する。
第9右背負いベルト904Rは、背側部112に相対し、右マチ部118側に偏倚した位置に設けられたベルトであり、代表的には利用者の右肩に掛けられる機能を有する。本実施例9において、第9右背負いベルト904Rは、右底部側ベルト906R、右角カン908R、第9右主背負いベルト912R、及び右固定具914Rによって構成されている一本のベルトを構成されている。
【００５５】
次に右底部側ベルト906Rを説明する。
右底部側ベルト906Rは、一本のベルトが右角カン908R内を通されて折り返し状にされ、一対の自由端部が底部108の背側部と背側部112の下端部との間に縫い込まれて強固に固定されている。したがって、右底部側ベルト906Rには右角カン908Rが係止されている。
【００５６】
次に右角カン908Rを説明する。
右角カン908Rは、右底部側ベルト906Rと第9右主背負いベルト912Rを連結する機能を有する。本実施例９において、右角カン908Rは矩形リング型に金属又は樹脂等によって形成された、公知の角カンである。右底部側ベルト906R、及び第9右主背負いベルト912Rがそれぞれリングの内側孔に引き通され、当該右角カン908Rに係止される。
【００５７】
次に第9右主背負いベルト912Rを説明する。
第9右主背負いベルト912Rは、一本のベルトが右角カン908R内を通されて折り返し状にされ、一の自由端部が背側部112の上端部に固定され、他の自由端部が右固定具914Rによって、右主背負いベルト912Rの中間に固定位置を調整可能に実質的に固定されている。したがって、第9右主背負いベルト912Rは右角カン908Rに係止されている。
【００５８】
次に右固定具914Rを説明する。
右固定具914Rは、第9右主背負いベルト912Rの長さを、右角カン908Rと共同して調整する機能を有する。本実施例９において、右固定具914Rは、公知の送り金具である。換言すれば、第9右主背負いベルト912Rの一端部を当該第9右主背負いベルト912Rの中間部へ実質的に固定することにより、第9右背負いベルト904Rの全長を調整可能にしたものである。、
【００５９】
次に第9左背負いベルト904Lを説明する。
第9左背負いベルト904Lは、第9右背負いベルト904Rと同一構造であって、背側部112に相対して左右対称に配置されているので、同一符号の末尾をRからLに変更して付すことにより、説明を省略する。
【００６０】
第9左背負いベルト904Lの上端部には、第９背側持ち手部1069が装着されている。第９背側持ち手部1069は、基本的には、第２背側持ち手部1062と同様に、持ち手ベルト106の右端の右位置調整可能取付部150Rを構成する右リング148R、左端の左位置調整可能取付部150Lである左リング148Lが形成されている。右位置調整可能取付部150Rは第9右背負いベルト104Rに対して摺動させることにより、位置変更が変更可能である。同様に、左位置調整可能取付部150Lは第9左背負いベルト904Lに対する位置変更が可能である。第９背側持ち手部1069は、本実施例9においては、細長い布製帯状体をループ形状にし、重なり合う中間部を縫合することにより、左リング部148L、及び右リング部148Rを形成している。
【００６１】
右結束帯192Rが第9右背負いベルト104Rに、左結束帯192Lが第9左背負いベルト904Lに、実施例7と同様に巻き付けられ、第9右背負いベルト104R、第9左背負いベルト904Lがそれぞれ束状にされている。
【００６２】
次に第9反背側持ち手部904Hを説明する。
第9反背側持ち手部904Hは、手提げバッグ100Hとして用いる場合、反背側部114において、反背側持ち手部104Hを構成する機能を有する。本実施例９において、第9反背側持ち手部904Hは、主手持ちベルト部916、従手持ちベルト部918、及び第9固定具922によって、一本の長い帯状であって、長さ調整可能に構成されている。しかし、反背側持ち手部904Hは、長さ調整可能でなくとも良い。
【００６３】
主手持ちベルト部916は、織布、又は革等で形成された細長い帯状のベルトであって、一端部は、第9左背負いベルト904Lと相対する底部108と反背側部114の下端との間に挟まれて縫合されている。さらに、反背側部114と相対する部位の一部において、縫合等によって、反背側部114に固定されている。主手持ちベルト部916の自由端部916Tは、第9固定具922によって、従手持ちベルト部918に先端部に実質的に固定される。
【００６４】
従手持ちベルト部918は、第9右背負いベルト904Rと相対する位置において、底部108と反背側部114の下端との間に挟まれて縫合されている。従手持ちベルト部918の中間部は、縫合等によって、底部108に対し垂立するように反背側部114に固定され、上端部には第9固定具922が取り付けられている。
【００６５】
第9固定具922は、主手持ちベルト部916の他端部を無段階的に従手持ちベルト部918に取り付ける(実質的に固定する)機能を有する。本実施例9において、第9固定具922は、はしご形をしている。具体的には、上流杆922U、中央杆922M、及び下流杆922Dが所定の間隔で一平面内に配置された状態で一体化され、中央杆922Mに従手持ちベルト部918の上端部が係止されている。主手持ちベルト部916の自由端部916Tは、上流杆922Uと中間杆922Mとの間に引き通された後、中間杆922Mと下流杆922Dとの間に引き通され、中央杆922Mに相対する部位を頂点とする山形に屈曲される。これにより、主手持ちベルト部916と従手持ちベルト部918とを一直線状にした場合、主手持ちベルト部916の先端部916Tと従手持ちベルト部918の先端部との間の摩擦力が大きくなって、主手持ちベルト部916と従手持ちベルト部918は滑ることが出来ず、それらは実質的に固定状態にされる。一方、主手持ちベルト部916を上流杆922Uと下流杆922Dとの間でU字状にすることにより、主手持ちベルト部916を第9固定具922に対し相対移動することができ、反背側持ち手部904Hの全体長さを調整することができる。
【００６６】
実施例9において、手提げバッグ100Hとして利用する場合、右固定具914Rによって右背負いベルト904Rの長さ、左固定具914Lによって左背負いベルト904Lの長さを調整し、第９背側持ち手部1069の右位置調整可能取付部150R、及び左位置調整可能取付部150Lの位置を右背負いベルト904R、及び左背負いベルト904Lの頂点の位置に移動させる。同様に、第9固定具922によって反背側持ち手部904Hの長さを調整し、及び第9反背側持ち手部904Hの長さと釣り合わせることで、手提げバッグ100Hとして利用に良好な携帯バッグを得ることができる。また、第９背側持ち手部1069の右位置調整可能取付部150R、及び左位置調整可能取付部150Lの位置を調整した後、右結束帯192Rによって右背負いベルト904Rを束ね、及び左結束帯192Lによって左背負いベルト904Rを束ねるだけで背負いベルト904において所定の長さに調整して用いることができる。よって、背負いバッグ100Bとして、又は肩掛けバッグとして好適な背負いベルト904の長さを得ることができる。
【符号の説明】
【００６７】
102  収納部
104  背負いベルト
106  背側持ち手部
100  携帯バッグ
108  底部
112  背側部
114  反背側部
116  左マチ部
118  右マチ部
122L、122R、124L、124R、184L、184R  貫通孔
104L  左背負いベルト部
104R  右背負いベルト部
112E  被せ部
140  長さ調整装置
192R  右結束帯
192L  左結束帯
【図１】
2020011060.tif 000003
【図２】
2020011060.tif 000004
【図３】
2020011060.tif 000005
【図４】
2020011060.tif 000006
【図５】
2020011060.tif 000007
【図６】
2020011060.tif 000008
【図７】
2020011060.tif 000009
【図８】
2020011060.tif 000010
【図９】
2020011060.tif 000011
【図１０】
2020011060.tif 000012
【図１１】
2020011060.tif 000013
【図１２】
2020011060.tif 000014
【図１３】
2020011060.tif 000015
【図１４】
2020011060.tif 000016
【図１５】
2020011060.tif 000017
【図１６】
2020011060.tif 000018
【図１７】
2020011060.tif 000019
【図１８】
2020011060.tif 000020
【図１９】
2020011060.tif 000021
【図２０】
2020011060.tif 000022